(57)【要約】【課題】  塵芥がバースクリーンに塊状となって堆積した場合でも、塵芥を除去できる除塵装置を提供する。【解決手段】  複数のバー８１，…が並設されるバースクリーン８に堆積する塵芥Ｘを除去すべく、バー８１，…が並設される並設方向に並列される複数の第１レーキ爪２２，…を有するレーキ部２を備える除塵装置１において、レーキ部２は、並設方向と交差する方向で第１レーキ爪２２に並列される第２レーキ爪２３，…をさらに備え、第２レーキ爪２３，…は、塵芥を突き刺し可能な先鋭部２３１を先端部に備えることを特徴とする。【選択図】  図３
2012077564.tif 000002
【特許請求の範囲】
【請求項１】
複数のバーが並設されるバースクリーンに堆積する塵芥を除去すべく、バーが並設される並設方向に並列される複数の第１レーキ爪を有するレーキ部を備える除塵装置において、
レーキ部は、並設方向と交差する方向で第１レーキ爪に並列される第２レーキ爪をさらに備え、第２レーキ爪は、塵芥を突き刺し可能な先鋭部を先端部に備えることを特徴とする除塵装置。
【請求項２】
バーに沿って移動するベース部を備え、
レーキ部は、回転するのに伴って先鋭部が塵芥を突き刺し可能とすべく、ベース部に回転可能に接続される請求項１に記載の除塵装置。
【請求項３】
レーキ部は、自重により回転するような重心バランスに設定されている請求項２に記載の除塵装置。
【請求項４】
第１レーキ爪と第２レーキ爪とは、傾斜して交差するように配置される請求項１〜３に記載の何れか１項に記載の除塵装置。
【発明の詳細な説明】
【技術分野】
【０００１】
本発明は、複数のバーが並設されるバースクリーンに堆積する塵芥を除去するための除塵装置に関する。
【背景技術】
【０００２】
従来、複数のバーが並設されるバースクリーンに堆積する塵芥を除去する除塵装置として、バーが並設される方向に並列される複数のレーキ爪を備える除塵装置が知られている（例えば、特許文献１及び２）。斯かる除塵装置によれば、レーキ爪がバーに沿って上昇することにより、各バー間に入り込んだレーキ爪の側部で塵芥を掻き取ることができる。
【先行技術文献】
【特許文献】
【０００３】
【特許文献１】実用新案登録第３０３４４０４号公報
【特許文献２】特開２００７−１９１９３８号公報
【発明の概要】
【発明が解決しようとする課題】
【０００４】
しかしながら、塵芥がバースクリーンに塊状に固まって堆積すると、レーキ爪が塵芥の表面を滑るだけで、レーキ爪で塵芥を掻き取ることができない場合があった。
【０００５】
よって、本発明は、斯かる事情に鑑み、塵芥がバースクリーンに塊状となって堆積した場合でも、塵芥を除去できる除塵装置を提供することを課題とする。
【課題を解決するための手段】
【０００６】
本発明に係る除塵装置は、複数のバーが並設されるバースクリーンに堆積する塵芥を除去すべく、バーが並設される並設方向に並列される複数の第１レーキ爪を有するレーキ部を備える除塵装置において、レーキ部は、並設方向と交差する方向で第１レーキ爪に並列される第２レーキ爪をさらに備え、第２レーキ爪は、塵芥を突き刺し可能な先鋭部を先端部に備えることを特徴とする。
【０００７】
本発明に係る除塵装置によれば、第２レーキ爪の先端部に設けられる先鋭部が塊状の塵芥を突き刺し、その後、第２レーキ爪が並設方向と交差する方向（第１レーキ爪と第２レーキ爪とが並列される方向）に移動されることにより、第２レーキ爪で、塵芥の表面を掻き起こすことができる。そして、第２レーキ爪に並列される第１レーキ爪が、並設方向と交差する方向（第１レーキ爪と第２レーキ爪とが並列される方向）に移動されることにより、第２レーキ爪で掻き起こされた塵芥を、第１レーキ爪で掻き取ることができる。
【０００８】
また、本発明に係る除塵装置においては、バーに沿って移動するベース部を備え、レーキ部は、回転するのに伴って先鋭部が塵芥を突き刺し可能とすべく、ベース部に回転可能に接続されてもよい。
【０００９】
斯かる構成の除塵装置によれば、レーキ部がベース部に回転可能に接続されているため、レーキ部が回転するのに伴って、第２レーキ爪の先鋭部が塵芥を突き刺すことができる。そして、ベース部がバーに沿って移動することにより、第２レーキ爪で、塵芥の表面を掻き起こすことができ、さらに、ベース部がバーに沿って移動することにより、第２レーキ爪で掻き起こされた塵芥を、第１レーキ爪で掻き取ることができる。
【００１０】
また、本発明に係る除塵装置においては、レーキ部は、自重により回転するような重心バランスに設定されていてもよい。
【００１１】
斯かる構成の除塵装置によれば、レーキ部が自重により回転するような重心バランスに設定されているため、例えば、レーキ部の自重を利用することにより、第２レーキ爪の先鋭部が塵芥を突き刺すこともできる。
【００１２】
また、本発明に係る除塵装置においては、第１レーキ爪と第２レーキ爪とは、傾斜して交差するように配置されてもよい。
【００１３】
斯かる構成の除塵装置によれば、第１レーキ爪と第２レーキ爪とが傾斜して交差するように配置されているため、例えば、さまざまな形状で堆積する塵芥に対して、フレキシブルに対応することもできる。
【発明の効果】
【００１４】
以上の如く、本発明に係る除塵装置によれば、塵芥がバースクリーンに塊状となって堆積した場合でも、塵芥を除去できるという優れた効果を奏する。
【図面の簡単な説明】
【００１５】
【図１】本発明の一実施形態に係る除塵装置で除去する塵芥を堆積するバースクリーンの要部斜視図を示す。
【図２】同バースクリーンの要部図であって、（ａ）は正面図、（ｂ）はＣ−Ｃ線における断面図を示す。
【図３】同実施形態に係る除塵装置の要部縦断面図を示す。
【図４】同実施形態に係る除塵装置の動作を説明する図であって、要部縦断面図を示す。
【図５】同実施形態に係る除塵装置の動作を説明する図であって、要部縦断面図を示す。
【図６】同実施形態に係る除塵装置の動作を説明する図であって、（ａ）及び（ｂ）はそれぞれ要部縦断面図を示す。
【図７】本発明の他の実施形態に係る除塵装置の図であって、（ａ）は要部縦断面図、（ｂ）は全体斜視図を示す。
【発明を実施するための形態】
【００１６】
以下、本発明に係る除塵装置における一実施形態について、図１〜図６を参酌して説明する。
【００１７】
図１〜図３に示すように、本実施形態に係る除塵装置１は、バースクリーン８に堆積する塵芥Ｘ（図１〜図３において図示していない）を除去するものである。ここで、除塵装置１の各構成を説明するのに先立って、バースクリーン８について説明する。なお、バースクリーン８は、落ち葉や藻等の塵芥Ｘの流入を阻止するために、水力発電所における河川から取水するための取水口や、工業用水や農業用水を得るための取水口等に設けられている。
【００１８】
バースクリーン８は、幅方向に並設される複数のバー８１，…と、各バー８１間に配置される部位を有して各バー８１を離間させる複数のスペーサ８２，…とを備える。具体的には、水が流れる方向（図１のＡ矢印方向）と交差する方向に並設される複数のバー８１，…と、バー８１の長手方向に並設される複数の板状のスペーサ８２，…とを備える。また、バースクリーン８の上方側には、除塵装置１で除去した塵芥Ｘを塵芥シュートや塵芥置き場等の下流側（図１のＢ矢印方向）に搬送するためのコンベア９が配設されている。
【００１９】
除塵装置１は、バースクリーン８に堆積する塵芥Ｘを除去するレーキ部２と、レーキ部２が回転可能に接続され、バー８１の長手方向に沿って移動するベース部３とを備える。また、除塵装置１は、ベース部３をバー８１の長手方向に沿って移動させる移動手段４と、レーキ部２をベース部３に対して回転させる回転手段５とを備える。
【００２０】
レーキ部２は、バー８１，…が並設される並設方向に沿って長尺に形成されるレーキ部本体２１と、レーキ部本体２１の長手方向（即ち、並設方向）に並列される複数の第１レーキ爪２２，…とを備える。さらに、レーキ部２は、レーキ部本体２１の長手方向（即ち、並設方向）と交差する方向で第１レーキ爪２２，…に並列される第２レーキ爪２３，…をさらに備える。
【００２１】
また、レーキ部２は、各レーキ爪２２，２３を補強すべく、第１レーキ爪２２，…に跨って配置される第１補強材２４と、第２レーキ爪２３，…に跨って配置される第２補強材２５とを備える。なお、本実施形態において、第１補強材２４は、長手方向がレーキ部２（レーキ部本体２１）の長手方向に沿って配置されるＬ字状の剛体であって、第２補強材２５は、長手方向がレーキ部２（レーキ部本体２１）の長手方向に沿って配置される丸棒状の剛体としている。
【００２２】
レーキ部本体２１は、基端部２１ａに、回転軸２１１ａを介してベース部３に回転可能に接続される接続部２１１を備えると共に、先端部２１ｂに、バー８１に当接することでバー８１に支持される支持部２１２を備える。そして、レーキ部本体２１は、先端部２１ｂに重量体２１３が設けられ、水中においても、自重により、基端部２１ａ（回転軸２１１ａ）を中心にして、先端部２１ｂが下方に向けて回転するような重量で且つ重心バランスに設定されている。
【００２３】
支持部２１２は、レーキ部本体２１の長手方向に複数（例えば４つ）並設されている（図３においては１つの支持部２１２のみ図示している）。そして、各支持部２１２は、レーキ部本体２１の長手方向と交差する方向（第１レーキ爪２２と第２レーキ爪２３とが並列される方向）に並設される一対の回転体２１２ａ，２１２ａを備えている。
【００２４】
各第１レーキ爪２２は、長尺に形成されると共に、先端部に、塵芥Ｘを突き刺し可能な先鋭部２２１を備える。そして、各第１レーキ爪２２は、基端部でレーキ部本体２１の先端部２１ｂに固定され、先端部（先鋭部２２１）がレーキ部本体２１から突出するように配置されている。
【００２５】
しかも、各第１レーキ爪２２は、平板状に形成され、各面がバー８１の各面と平行となるように配置されている。そして、複数の第１レーキ爪２２，…は、各バー８１，８１間にそれぞれ配置されるべく、各バー８１，８１同士間の間隔と略同じ間隔を有して、レーキ部本体２１の長手方向に並設されている。
【００２６】
さらに、各第１レーキ爪２２は、長手方向がレーキ部本体２１の長手方向と直交するように配置される。そして、各第１レーキ爪２２は、支持部２１２がバー８１に当接している位置（図３に示す位置であって、後述する「除塵位置」）において、長手方向がバー８１の長手方向と直交するように配置されると共に、先端部（先鋭部２２１）が各バー８１，８１間に入り込むように配置される。
【００２７】
各第２レーキ爪２３は、長尺に形成されると共に、先端部に、塵芥Ｘを突き刺し可能な先鋭部２３１を備える。そして、各第２レーキ爪２３は、基端部でレーキ部本体２１の先端部２１ｂに固定され、先端部（先鋭部２３１）がレーキ部本体２１から突出するように配置されている。
【００２８】
しかも、各第２レーキ爪２３は、平板状に形成され、各面が各第１レーキ爪２２の各面と平行となるように配置されている。そして、複数の第２レーキ爪２３，…は、所定のバー８１，８１間に配置されるべく、第１レーキ爪２２，２２同士間の間隔よりも大きい間隔を有して、レーキ部本体２１の長手方向に並設されている。
【００２９】
さらに、各第２レーキ爪２３は、長手方向が第１レーキ爪２２の長手方向と傾斜して交差するように配置される。具体的には、各第２レーキ爪２３は、先端部がレーキ部２の回転中心（回転軸２２１ａ）側、即ち、レーキ部本体２１の基端部２１ａ側を向くように配置される。換言すると、第１レーキ爪２２と第２レーキ爪２３とは、先端部側に向けて、離間距離が大きくなるようにそれぞれ配置されている。
【００３０】
また、各第２レーキ爪２３は、支持部２１２がバー８１に当接している位置（図３に示す位置であって、後述する「除塵位置」）において、長手方向がバー８１の長手方向と傾斜して交差するように配置されると共に、先端部（先鋭部２３１）が各バー８１，８１間に入り込むように配置される。なお、本実施形態において、各第１レーキ爪２２と各第２レーキ爪２３とは、各バー８１，８１間に入り込む深さ（量）が略同じとなるように設定されている。
【００３１】
各第２レーキ爪２３の先鋭部２３１は、レーキ部２が回転するのに伴って塵芥Ｘを突き刺し可能に構成されている。具体的には、各第２レーキ爪２３の先鋭部２３１は、第２レーキ爪２３の先端部における、内方側、即ち、レーキ部本体２１の基端部２１ａ寄り、さらに換言すれば、レーキ部本体２１の回転軸２２１ａ寄りに、配置されている。
【００３２】
ベース部３は、レーキ部本体２１の長手方向の各端部にそれぞれ配置される一対の回転体３１，３１を備える（図３においては１つの回転体３１のみ図示している）。そして、各回転体３１は、回転軸２２１ａを中心に回転可能に構成され、ベース部３がバー８１に沿って昇降するのに伴って回転する。
【００３３】
移動手段４は、ベース部３を昇降させる昇降手段４１と、ベース部３を案内する案内手段４２とを備える。そして、移動手段４は、昇降手段４１でベース部３を昇降し、案内手段４２でベース部３を案内することにより、ベース部３をバー８１に沿って上昇、下降させる。
【００３４】
昇降手段４１は、可撓性を有する紐状体４１１と、紐状体４１１の一端（下端）とレーキ本体部２１の基端部２１ａとを連結する連結体４１２と、紐状体４１１の他端（上端）側を巻いたり、解いたりする昇降ドラム４１３（図４及び図５参照）とを備える。そして、昇降手段４１は、昇降ドラム４１３を回転させて、紐状体４１１の長さを変更することにより、ベース部３を昇降させる。
【００３５】
案内手段４２は、ベース部３をバー８１に沿って昇降させるべく、ベース部３を案内する第１案内部４２１を備える。また、案内手段４２は、第１案内部４２１の上方に配置され、レーキ部２で除塵した塵芥Ｘをコンベヤ９に落とす際に、ベース部３を案内する第２案内部４２２を備える。
【００３６】
第１案内部４２１は、バー８１と面一となるように配置され、回転体３１に摺接される摺接部４２１ａと、回転体３１がバー８１から離反するのを防止すべく、回転体３１を係止する係止部４２１ｂとを備える。そして、係止部４２１ｂは、摺接部４２１ａと平行に配置され、摺接部４２１ａとにより、回転体３１を挟むように構成されている。
【００３７】
回転手段５は、可撓性を有する紐状体５１と、紐状体５１の一端（下端）とレーキ本体部２１の先端部２１ｂとを連結する連結体５２と、紐状体５１の他端（上端）側を巻いたり、解いたりする回転ドラム５３（図４及び図５参照）とを備える。そして、回転手段５は、回転ドラム５３を回転させて、紐状体５１の長さを変更することにより、レーキ部２を回転させる。
【００３８】
そして、回転手段５は、レーキ部２を回転させることで、各レーキ爪２２，２３が塵芥Ｘを除去できる除塵位置と、除塵位置から退避する退避位置とに切り替える。具体的には、レーキ部２は、回転手段５により、各レーキ爪２２，２３が各バー８１，８１間に入り込む除塵位置と、各レーキ爪２２，２３がバー８１から離れている退避位置とに切り替え可能に構成されている。
【００３９】
本実施形態に係る除塵装置１の構成については以上の通りであり、次に、本実施形態に係る除塵装置１の動作について、図４〜図６を参酌して説明する。
【００４０】
まず、図４に示すように、回転手段５の紐状体５１に張力が働くように、該紐状体５１の長さが設定されているため、バースクリーン８の上方側に位置しているレーキ部２（図４において２Ａと採番している）は、各レーキ爪２２，２３がバー８１から離れている退避位置に設定されている。これにより、各レーキ爪２２，２３がバースクリーン８に堆積している塵芥Ｘ（図４において図示していない）と干渉するのを防止できる。
【００４１】
そして、移動手段４の紐状体４１１の長さを長くすると、ベース部３の回転体３１が第１案内部４２１に案内されているため、レーキ部２は、バー８１に沿って下方向（図４におけるＤ矢印方向）に移動する。その後、レーキ部２がバースクリーン８の下方側に位置した後、回転手段５の紐状体５１に張力が働かないように（弛んだ状態となるように）、該紐状体５１の長さを長くする。
【００４２】
すると、レーキ部２は、自重により、基端部２１ａを中心にして且つ先端部２１ｂが下方に向かうように（図４におけるＥ矢印方向に）回転する。そして、バースクリーン８の下方側に位置しているレーキ部２（図４及び図５において２Ｂと採番している）は、支持部２１２がバー８１に当接することで支持されることにより、各レーキ爪２２，２３が各バー８１，８１間に入り込む除塵位置に設定される。
【００４３】
そして、図５に示すように、移動手段４の紐状体４１１の長さを短くすると、レーキ部２は、バースクリーン８の下方側からバー８１に沿って上方向（図５におけるＦ矢印方向）に移動する。このとき、回転手段５の紐状体５１が弛んだ状態を維持するように、回転手段５の紐状体５１の長さが設定されている。
【００４４】
これにより、各レーキ爪２２，２３がバースクリーン８に堆積している塵芥Ｘ（図５において図示していない）を掻き取るため、バースクリーン８の上方側に位置しているレーキ部２（図５において２Ｃと採番している）の各レーキ爪２２，２３には、塵芥Ｘが採取されている。さらに、移動手段４により、レーキ部２を上方向（図５におけるＧ矢印方向）に移動させると、ベース部３の回転体３１が第２案内部４２２に案内される。
【００４５】
そして、コンベヤ９の上方に位置するレーキ部２（図５において２Ｄと採番している）を、回転手段５により、自重に逆らうように、即ち、基端部２１ａを中心にして且つ先端部２１ｂが上方に向かうように（図５におけるＨ矢印方向に）回転させる。これにより、各レーキ爪２２，２３で採取した塵芥Ｘをコンベヤ９に落とすことができる。
【００４６】
ここで、塵芥Ｘがバースクリーン８に塊状となって堆積した場合、図４及び図５を参酌して説明したような上記の除塵装置１の動作を行うことができない場合がある。したがって、以下、塵芥Ｘがバースクリーン８に塊状となって堆積した場合の除塵装置１の動作について、図６を参酌して説明する。
【００４７】
まず、図６（ａ）に示すように、退避位置に設定されるレーキ部２を、塊状となって堆積している塵芥Ｘの直上位置まで移動させる。そして、回転手段５により、レーキ部２を、自重により、基端部２１ａを中心にして且つ先端部２１ｂが下方に向かうように（図６（ｂ）におけるＪ矢印方向に）回転させる。このとき、第２レーキ爪２３が第１レーキ爪２２よりも先にバー８１に向けて接近し、第２レーキ爪２３の先鋭部２３１が塊状の塵芥Ｘを突き刺すと共に、その後、第１レーキ爪２２の先鋭部２２１も塊状の塵芥Ｘを突き刺す。
【００４８】
斯かる状態から、移動手段４により、ベース部３をバー８１に沿って上昇させると、レーキ部２は、支持部２１２が塵芥Ｘの表面を摺接するようにして移動する。すると、第２レーキ爪２３が塵芥Ｘの表面を掻き起こす。そして、第１レーキ爪２２と第２レーキ爪２３とが並列されている方向に、レーキ部２が移動することになるため、第２レーキ爪２３で掻き起こされた塵芥Ｘを、第１レーキ爪２２が掻き取る。これにより、塊状の塵芥Ｘをバースクリーン８から除去することができる。
【００４９】
以上より、本実施形態に係る除塵装置１によれば、第２レーキ爪２３の先端部に設けられる先鋭部２３１が塊状の塵芥Ｘを突き刺し、レーキ部２が移動されることにより、第２レーキ爪２３が塵芥Ｘの表面を掻き起こす。その後、第１レーキ爪２２と第２レーキ爪２３とが並列される方向に、レーキ部２が移動されることにより、第２レーキ爪２３で掻き起こされた塵芥Ｘを、第１レーキ爪２２で掻き取ることができるため、塵芥Ｘがバースクリーン８に塊状となって堆積した場合でも、塵芥Ｘを除去できる。
【００５０】
また、本実施形態に係る除塵装置１によれば、レーキ部２がベース部３に回転可能に接続されているため、レーキ部２が回転するのに伴って、各レーキ爪２２，２３の先鋭部２２１，２３１が塵芥Ｘを突き刺すことができる。そして、ベース部３がバー８１に沿って移動することにより、第２レーキ爪２３が塵芥Ｘの表面を掻き起こし、さらにその後、第２レーキ爪２３で掻き起こされた塵芥Ｘを、第１レーキ爪２２で掻き取ることができる。
【００５１】
また、本実施形態に係る除塵装置１によれば、レーキ部２が自重により回転するような重心バランスに設定されているため、自重を利用することにより、各レーキ爪２２，２３の先鋭部２２１，２３１で塵芥Ｘを突き刺すことができる。
【００５２】
また、本実施形態に係る除塵装置１によれば、第１レーキ爪２２と第２レーキ爪２３とが傾斜して交差するように配置されているため、さまざまな形状で堆積する塵芥Ｘに対して、フレキシブルに対応することができる。
【００５３】
なお、本発明に係る除塵装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５４】
例えば、上記実施形態に係る除塵装置１においては、第２レーキ爪２３が第１レーキ爪２２に対して一つ並設される場合を説明したが、斯かる場合に限られない。具体的には、図７（ａ）に示すように、第２レーキ爪２３，２３０は、第１レーキ爪２２に対して二つ並設される場合でもよく、さらには、三つ以上並設される場合でもよい。
【００５５】
また、上記実施形態に係る除塵装置１においては、レーキ部２がベース部３に対して回転可能に接続される場合を説明したが、斯かる場合に限られず、例えば、図７（ｂ）に示すように、レーキ部２０がベース部３０と一体的に形成される場合でもよい。
【００５６】
図７（ｂ）に示される除塵装置１０は、作業者に操作される棒状の操作部１１と、操作部１１の先端側に固定されるベース部３０と、ベース部３０と一体的に形成されるレーキ部２０とを備える。そして、レーキ部２０は、塵芥Ｘを突き刺し可能な先鋭部２０１ａを先端部に有する複数の第１レーキ爪２０１，…と、塵芥Ｘを突き刺し可能な先鋭部２０２ａを先端部に有する複数の第２レーキ爪２０２とを備える。
【００５７】
また、上記実施形態に係る除塵装置１においては、レーキ部２が自重で回転する場合を説明したが、斯かる場合に限られない。例えば、レーキ部２は、付勢されたり、操作されたりすることで回転する場合でもよい。
【００５８】
また、上記実施形態に係る除塵装置１においては、第１レーキ爪２２と第２レーキ爪２３とが傾斜して交差するように配置される場合を説明したが、斯かる場合に限られない。例えば、第１レーキ爪と第２レーキ爪とは、長手方向同士が平行となるように配置される場合でもよい。
【００５９】
また、上記実施形態に係る除塵装置１においては、複数の第２レーキ爪２３，…が第１レーキ爪２２，２２同士間の間隔よりも大きい間隔を有して並設される、即ち、第２レーキ爪２３，…が第１レーキ爪２２，…よりも少なく設けられる場合を説明したが、斯かる場合に限られない。例えば、複数の第２レーキ爪２３，…は、第１レーキ爪２２，２２同士間の間隔と同じ間隔を有して並設される場合でもよい。
【００６０】
また、上記実施形態に係る除塵装置１においては、除塵位置において、各第１レーキ爪２２と各第２レーキ爪２３との各バー８１，８１間に入り込む深さ（量）が略同じとなるように設定されている場合を説明したが、斯かる場合に限られない。例えば、除塵位置において、各バー８１，８１間に入り込む深さ（量）は、第１レーキ爪の方が深い場合でもよく、また、第２レーキ爪の方が深い場合でもよい。
【符号の説明】
【００６１】
１…除塵装置、２…レーキ部、３…ベース部、２２…第１レーキ爪、２３…第２レーキ爪、２３１…（第２レーキ爪の）先鋭部、８…バースクリーン、８１…バー、Ｘ…塵芥
【図１】
2012077564.tif 000003
【図２】
2012077564.tif 000004
【図３】
2012077564.tif 000005
【図４】
2012077564.tif 000006
【図５】
2012077564.tif 000007
【図６】
2012077564.tif 000008
【図７】
2012077564.tif 000009